(57)【要約】デバイス（２０）は、ラジオまたはテレビジョンのプログラミングなどのプログラミングを含む、公的に利用できる放送信号から位置決定を行うことができる。一実施例での位置推定部分（２６）は、デバイス（２０）と送信機の既知の位置との間の距離を決定するために、送信機からの検出信号の決定された受信パワーならびに送信機の位置および送信パワーに関する情報を使用する。少なくとも１つの他の位置標識は、デバイス（２０）の位置に関する決定を行うために使用される。一実施例では、他の位置標識は、デバイスと少なくとも１つの他の送信機との間の決定された距離であり、それは、他の送信機からの信号の決定された受信パワーおよびその送信機によって使用される送信パワーに基づいている。別の実施例は、デバイス（２０）の位置の標識として、複数の送信機の放送エリアが重なり合うところを決定することを含む。一実施例では、送信機の放送エリアおよび識別は、複数の検出信号の搬送周波数に基づいて決定される。
2010527025.tif 000002
【特許請求の範囲】
【請求項１】
携帯用デバイスの位置を見つける方法において、
公的に利用できるプログラミングを放送する送信機からの信号を検出するステップであって、前記送信機は、既知の位置および既知の搬送周波数で前記信号を送信するために使用される既知の送信パワーを有するステップと、
前記検出信号の受信パワーを決定するステップと、
前記決定された受信パワーおよび前記送信パワーから、前記デバイスと前記送信機の前記位置との間の距離範囲を決定するステップと、
前記決定された距離範囲および少なくとも１つの他の位置標識に基づいて、前記デバイスの位置の標識としてエリアを決定するステップと、
を特徴とするステップとを含む方法。
【請求項２】
前記少なくとも１つの他の位置標識は、前記デバイスと第２の異なる送信機との間の第２の距離範囲を含む、請求項１に記載の方法。
【請求項３】
公的に利用できるプログラミングを放送する前記第２の送信機からの第２の信号を検出するステップであって、前記第２の送信機は、既知の位置および既知の搬送周波数で前記信号を送信するために使用される送信パワーを有するステップと、
前記第２の信号の受信パワーを決定するステップと、
前記第２の信号の前記決定された受信パワーおよび前記第２の送信機の前記送信パワーから、前記第２の送信機と前記デバイスとの間の前記第２の距離範囲を決定するステップとを含む、請求項２に記載の方法。
【請求項４】
前記デバイスと前記送信機との間の前記決定された距離範囲に基づいて、第１の複数の可能な位置を決定するステップと、
前記デバイスと前記第２の送信機との間の前記第２の距離範囲に基づいて、第２の複数の可能な位置を決定するステップと、
前記第１の複数の可能な位置の少なくとも１つおよび前記第２の複数の可能な位置の少なくとも１つがあるところの、少なくとも１つの位置エリアを決定するステップと、
前記デバイスの前記位置の標識である前記決定されたエリアとして、前記少なくとも１つの決定された位置エリアを使用するステップとを含む、請求項２または３のいずれかに記載の方法。
【請求項５】
複数の送信機の各々に対応する送信機位置および送信機パワー情報を含むデータベース、
前記検出信号から利用できるラジオ・データ・システム情報、または
複数の送信機に関するそのような情報を提供する放送局から利用できる別の信号から得られる情報のうちの少なくとも１つから、
前記送信機の前記位置および送信パワーを決定するステップを含む、請求項１に記載の方法。
【請求項６】
複数の送信機からの複数の信号をそれぞれ検出するステップであって、前記複数の送信機の各々は、既知の位置、前記信号を送信するための既知の搬送周波数および前記送信機が前記信号を提供する既知の放送エリアを有するステップと、
各検出信号の少なくとも１つの特性から前記検出信号の各々に対応する前記送信機の各々を識別するステップと、
すべての前記識別された送信機の放送範囲が重なり合う、重なりエリアを決定するステップと、
前記デバイスの前記位置の標識である前記エリアを決定するために、前記決定された重なりエリアを使用するステップとを含む、請求項１に記載の方法。
【請求項７】
携帯用デバイスの位置を見つける方法において、
複数の送信機からの複数の信号をそれぞれ検出するステップであって、前記複数の送信機の各々は、既知の位置、前記信号を送信するための既知の搬送周波数および前記送信機が前記信号を提供する既知の放送エリアを有するステップと、
各検出信号の少なくとも１つの特性から前記検出信号の各々に対応する前記送信機の各々を識別するステップと、
すべての前記識別された送信機の放送範囲が重なり合うエリアを決定するステップと、
前記デバイスの前記位置の標識として、前記決定されたエリアを使用するステップと、
を特徴とするステップとを含む方法。
【請求項８】
前記検出信号の少なくとも１つの、少なくとも１つの信号品質特性を決定するステップと、
前記決定された品質特性に基づいて、前記検出信号の前記少なくとも１つの、前記送信機の放送エリアを決定するステップとを含む、請求項７に記載の方法。
【請求項９】
前記対応する送信機の最大放送エリア内の複数の範囲を決定するステップであって、各範囲内の前記信号品質特性は、前記他の範囲内の前記信号品質特性とは異なるステップと、
前記対応する検出信号の前記信号品質特性に基づいて、前記複数の範囲のどれが、前記デバイスの可能な位置に対応するかを決定するステップとを含む、請求項８に記載の方法。
【請求項１０】
デバイス搭載の位置探索能力を有する受信機デバイスにおいて、
公的に利用できるプログラミングを放送する送信機からの信号を検出するための手段であって、前記送信機は、既知の位置および既知の搬送周波数で前記信号を送信するために使用される既知の送信パワーを有する手段と、
前記検出信号の受信パワーを決定するための手段と、
前記決定された受信パワーおよび前記送信パワーから、前記デバイスと前記送信機の前記位置との間の距離範囲を決定するための手段と、
前記決定された距離範囲および少なくとも１つの他の位置標識に基づいて、前記デバイスの位置の標識としてエリアを決定するための手段と、
を特徴とする手段とを含む受信機デバイス。
【発明の詳細な説明】
【技術分野】
【０００１】
本発明は一般に、位置決定に関する。さらに詳細には、本発明は、位置決定のためにラジオ信号を使用することに関する。
【背景技術】
【０００２】
電子機器の小型化にともない、いろいろな目的のために携帯用電子デバイスを使用することがますます人気になってきた。例えば、携帯電話は、音声およびデータ通信のためにますます使用されている。携帯情報端末およびノートブック・コンピュータは、ますます向上する無線通信能力を有する。音楽または映像プレーヤおよびテレビジョンなどの他のデバイスは今では普通に、便利に持ち運ばれるように十分に小さい寸法で利用できる。
【０００３】
そのようなデバイスを使用するときに位置推定が有用であろう、いろいろな状況がある。例えば、天気予報情報、交通情報または地域活動情報を得ること、およびその目的のために携帯用電子デバイスを使用できることは、有用であるかもしれない。そのようなデバイスでの位置情報のためのいろいろな使用が増加しているが、そのような情報の利用可能性は、比較的限定されている。
【０００４】
例えば、すべての携帯電話が、デバイス搭載の位置推定能力を有しているわけではない。いくつかの携帯電話だけが、全地球測位システム（ＧＰＳ）位置探索能力を有する。ＧＰＳデバイスは典型的には、ＧＰＳ位置情報に直接関係するもの以外の特徴を提供しない。携帯用音楽または映像プレーヤは典型的には、もしそのようなデバイスで得ることができればその位置情報を示す出力を提供することができることになるけれども、どんな位置探索能力も有しない。
【０００５】
加えて、位置探索能力を有するデバイスでさえ、いろいろな状況で位置情報のために十分な信号を得ることはできない。ＧＰＳ受信機は、例えばＧＥＯ位置決定を行うために十分な数の衛星をいつも検出することができるとは限らないかもしれない。これは特に、ＧＰＳ衛星信号がしばしば検出できない、またはもしそれらが利用可能でも、ＧＰＳ位置探索がはっきりと見える空を理想的に要求するので、それらが１つまたは２つの衛星だけに制限される、建物の内部では当てはまる。
【発明の概要】
【発明が解決しようとする課題】
【０００６】
いろいろな携帯用デバイス内に組み込むことができる、強化された位置探索能力を提供することは有用であろう。もしそのような能力が、匿名的な仕方で位置を決定することを可能にするならば、それもまた有益であろう。
【課題を解決するための手段】
【０００７】
携帯用デバイスの位置を見つける例となる方法は、公的に利用できるプログラミングを放送する送信機からの信号を検出することを含む。送信機は、既知の位置を有し、既知の搬送周波数で信号を送信するために既知の送信パワーを使用する。検出信号の受信パワーが決定される。ラジオ受信機と送信機の位置との間の距離範囲は、受信パワーおよび検出信号の搬送周波数での既知の送信パワーから決定される。ラジオ受信機の位置は、決定された距離範囲および少なくとも１つの他の位置標識に基づいて決定される。
【０００８】
携帯用デバイスの位置を見つける別の例となる方法は、公的に利用できるプログラミングを放送する複数の送信機からの複数の信号をそれぞれ検出することを含む。各送信機は、既知の位置を有し、その信号を送信するために既知の搬送周波数を使用する。検出信号に対応する局の各々は、対応する検出信号の少なくとも１つの特性から識別される。すべての識別された送信機の放送範囲が重なり合うエリアが、決定され、携帯用デバイスの位置の標識として使用される。
【０００９】
開示される例となる実施形態のいろいろな特徴および利点は、次の詳細な説明から当業者には明らかになるであろう。詳細な説明に付随する図面は、次のように簡単に説明することができる。
【図面の簡単な説明】
【００１０】
【図１】本発明の実施形態で有用である携帯用電子デバイスを概略的に例示する図である。
【図２】一実施例の手法を要約する流れ図である。
【図３】一実施例で使用される位置決定技術を概略的に例示する図である。
【図４】別の実施例の手法を要約する流れ図である。
【図５】別の実施例の位置決定技術を概略的に例示する図である。
【図６】別の実施例の技術を概略的に例示する図である。
【発明を実施するための形態】
【００１１】
図１は、デバイスの位置を決定するための位置探索能力を有する携帯用デバイス２０を概略的に示す。受信機部分２２は、アンテナ２４で利用できる信号を検出する。一実施例では、検出信号は、ラジオまたはテレビジョンのプログラミング信号などの公的に放送されるプログラミングを含む。位置推定器部分２６は、デバイス２０の位置に関する決定を行うために、受信機部分２２からの少なくとも１つの検出信号に関する情報を使用する。例示の実施例は、位置決定を行うために、検出信号からの情報と併せて有用である情報を含むデータベース部分２８を含む。
【００１２】
図１の実施例はまた、位置推定器部分２６によって行われた決定を所望の構成の出力３２に変換する変換器部分３０も含む。例えば、決定された位置情報は、地理座標（例えば、経度および緯度）、所在地住所、郵便番号、都市名または別の地理的標識として提供されてもよい。
【００１３】
実施例デバイス２０は、位置情報が電子デバイスの使用者のためになる可能性がある、いろいろな状況に対して有用である。受信機部分２２を使用して、公的に利用できるプログラミング信号を検出することによって、デバイス２０は、デバイス２０およびそれに関連する任意の他の電子機器に関する位置決定を匿名的に行うことを可能にする。例えば、デバイス２０は、携帯電話、ノートブック・コンピュータ、携帯用音楽もしくは映像プレーヤまたは携帯情報端末内に組み込まれてもよい。デバイス２０はまた、単体のデバイスであってもよい。この説明を所与とすると、当業者は、実施例デバイス２０の位置探索能力が、どんな状況でおよびどんな種類のデバイスで有益であるかを理解するであろう。
【００１４】
図２は、図１のデバイス２０のようなデバイスを使用して位置決定を行うための一実施例の手法を要約する流れ図４０を含む。この実施例は、それらが公的に放送される信号を使用してデバイス上で完結可能であるので、匿名的位置決定を可能にする。４２において、少なくとも１つの信号が、送信機から検出される。一実施例では、送信機は、ラジオまたはテレビジョンのプログラミングなどの公的に利用できるプログラミングを放送する。送信機は、既知の位置を有し、信号を提供するために既知の送信パワーを使用する。送信機はまた、信号を提供するために既知の搬送周波数も使用する。一実施例では、データベース２８は、位置、送信パワー、搬送周波数またはそれらの任意の組合せが、位置決定を行う目的のために位置推定器部分２６に利用できるように、複数のそのような送信機に関する情報を含む。一実施例では、位置推定器部分２６は、信号が検出される送信機に関して得られるラジオ・データ・システム情報に基づくデータベース２８を占有する。４４において、検出信号の受信パワーが決定される。受信信号のパワーを決定するための、既知のいろいろな技術があり、それらは、図１のデバイス２０のようなデバイスの実施形態で有用である。
【００１５】
４６において、デバイス２０と送信機との間の距離範囲は、決定された受信パワーおよび検出信号を提供するために送信機によって使用される送信パワーに基づいて決定される。送信パワーおよび受信パワーに基づいて距離を決定するための既知の技術は、一実施例で使用される。デバイス２０と送信機との間の距離範囲がいったん決定されると、位置決定は、決定された距離範囲および少なくとも１つの他の距離標識に基づいて４８において行われる。
【００１６】
図３は、図２の手法と一致する位置探索技術を概略的に例示する。この実施例では、デバイス２０は、第１の送信機５０からの信号を検出する。デバイス２０は、検出信号の受信パワーを決定し、第１の送信機５０の送信パワーに関する情報を集める。受信パワーおよび送信パワーに基づいて、位置推定器部分２６は、デバイス２０と第１の送信機５０との間の距離範囲に関する決定を行う。図３で概略的に示されるように、受信パワーおよび送信パワーは、デバイス２０と送信機５０との間の距離ｄ１を計算するための情報を提供する。距離ｄ１は、円の原点に送信機５０を有する可能な位置の円を規定する半径５２を提供する。
【００１７】
例示される実施例は、決定された距離ｄ１に基づく輪５４として概略的に示される距離範囲を使用する。輪５４は、送信機５０に対するデバイス２０のすべての可能な位置において距離ｄ１を取り囲む帯を規定する許容範囲５６を含む。この実施例では、半径５２は、第１の送信機５０の既知の位置と輪５４の中心との間にのびる。許容範囲５６は、例えば、デバイス２０内の受信機の種類、受信信号の種類、受信信号の品質またはそれらの組合せに依存するであろう。この説明を所与とすると、当業者は、彼らが彼らの特定の状況の必要性を満たす距離範囲を決定することを可能にする、適切な許容範囲の帯をどのように決定すべきかを理解するであろう。
【００１８】
ほとんどの状況に対しては、距離範囲の輪５４内のデバイスの可能な位置を決定することは、それが可能な位置の比較的大きな組であるので、満足できるものとは分からないであろう。図３の実施例では、少なくとも１つの他の標識が使用される。この実施例では、第２の送信機６０からの検出信号が、もう１つの位置標識を提供する。デバイス２０は、第２の送信機６０から検出される信号の受信パワーを決定する。デバイス２０はまた、第２の送信機６０の位置、第２の送信機６０の送信パワーおよび検出信号の搬送周波数に関する適切な情報（例えば、それがそのような情報であらかじめ占められると仮定するデータベース２８からの）も集める。この実施例では、決定された受信パワーおよび送信パワーは、デバイス２０と第２の送信機６０の既知の位置との間の距離ｄ２を計算するために使用される。距離ｄ２は、第２の円を規定する半径６２を提供し、それは、輪６４として概略的に示される第２の距離範囲のための基礎である。第２の距離範囲の輪６４は、第２の送信機６０に対するデバイス２０のための可能な位置を含む。この実施例では、輪６４は、許容範囲５６に似た許容範囲６６によって定義される幅を有する。
【００１９】
この実施例では、位置推定部分２６は、例示される距離範囲の輪５４および６４の可能な位置内のどんな位置が整合するかを決定する。例示される輪が重なり合うところで示されるように、決定された距離範囲５４および６４に基づく可能な位置内に整合がある。例示される実施例では、６８および７０においてそれぞれ示される２つの可能な位置がある。例示図では、デバイス２０は実際には、可能な位置６８内に置かれる。
【００２０】
もし少なくとももう１つの信号が、少なくとももう１つの送信機から検出されるならば、デバイス２０の可能な位置は、さらに狭められる。複数の追加の送信機位置が与えられ、デバイス２０とそれらの送信機との間の距離が決定されると、デバイス２０の位置は、さらに精緻化されてもよい。検出可能な信号および既知の送信機位置の数が増加するにつれて、デバイス２０の位置の推定は、より正確になる。
【００２１】
図４は、別の実施例の手法を要約する流れ図８０を含む。８２において、複数の信号は、複数の送信機から検出される。一実施例では、送信機の各々は、ラジオまたはテレビジョンのプログラミングなどの公的に利用できるプログラミングを放送する。各送信機の識別は、８４において決定される。各送信機の放送エリアは、いったん各送信機が識別されると知ることができる。一実施例では、データベース２８は、複数の送信機、それらの識別、位置および各送信機によって送信される信号に対して推定される放送エリアに関する情報で占められる。
【００２２】
一実施例では、各送信機の識別は、検出信号の搬送周波数に基づいて決定される。別の実施例は、検出信号を復調することによって得ることができるラジオ・データ・システム情報を使用することを含む。送信機がいったん識別されると、送信機の位置座標および放送エリア情報に関する情報を得ることが可能である。
【００２３】
８６において、決定は、すべての識別された送信機の放送範囲が重なり合うエリアに関して行われる。８８において、デバイス２０の位置は、放送範囲が重なり合う、決定されたエリアから決定される。
【００２４】
放送エリアに関する情報が与えられると、位置推定器部分２６は、どこでそれらの放送エリアが重なり合うかの決定を行い、ＧＥＯ位置座標（例えば、経度および緯度）などの、その重なりエリアの境界に関する地理的情報を決定するように適切にプログラムされる。
【００２５】
一実施例では、決定される位置は、決定されるエリアの中心の推定に基づく。１つのそのような実施例は、位置推定のあり得る精度の表示を提供することを含む。例えば、もし決定されるエリアが、１平方キロメートルの範囲にわたるならば、あり得る精度表示は、１キロメートルの約半分内であろう。別の実施例では、決定される位置は、エリアの記述に基づいており、それは、例えばそのエリアの外側境界を定義する複数の座標を含んでもよい。
【００２６】
図５は、図４の実施例と一致する位置決定を概略的に示す。図５では、デバイス２０は、対応する放送エリア９２を有する第１の送信機９０からの信号を検出する。別の信号は、対応する放送エリア９６を有する送信機９４、対応する放送エリア１００を有する送信機９８および対応する放送エリア１０４を有する送信機１０２から検出される。放送エリア９２、９６、１００および１０４の各々に関する情報に基づいて、デバイス２０の位置推定器部分２６は、図５において１０６で示されるエリアの境界を決定する。エリア１０６は、デバイス２０の位置を決定するために使用される。より多くの信号をより多くの送信機から検出することができるほど、エリア１０６の範囲または幅は、ますます狭められるようになり、より正確な位置情報を提供する。
【００２７】
図６は、より正確な位置情報を提供する可能性がある、図５の実施形態で有用な別の技術を概略的に示す。図６では、送信機１１０は、境界１１２内に最大のあり得る放送エリアを有する。境界１１２によって取り囲まれるエリア内の受信機に利用できる信号の品質は、そのエリア全体にわたっては一致しないであろう。送信機１１０に近いほど、信号品質は、送信機１１０からさらに離れた位置で利用できるものと比較してより良好であろう。図６の実施例は、デバイス２０が、境界１１２によって取り囲まれるエリア内のどこに置かれていそうかを決定するために、検出信号に関する少なくとも１つの品質標識を使用することを含む。
【００２８】
図６では、送信機１１０の全体の放送範囲内の３つの異なる範囲が示される。１つの境界１１４は、信号品質特性が、境界１１４の内側の別の地域にあるよりも識別できるほどに異なり、より低品質である外側地域（例えば、境界１１２と１１４との間）の間の境界を規定する。別の境界１１６は、信号品質特性が、境界１１４と１１６との間のエリア内であろうよりも識別できるほどに異なるエリアを規定する。
【００２９】
一実施例では、信号品質特性は、信号から得ることができる種類の情報を含む。例えば、ＦＭラジオ信号では、境界１１６内の地域は、完全なステレオ受信が可能なエリアに対応する。境界１１６と１１４との間のエリアは、雑音のない信号が利用できるが、ステレオは利用できない、または少なくとも常には利用できない位置に対応する。境界１１４と１１２との間のエリアは、ステレオ受信が可能ではないが、雑音は聞こえる可能性がある位置に対応する。一実施例は、良好なモノラル受信が可能でないエリアに対応する、別の識別レベルを追加することを含み、それは、例えば境界１１２と１１４との間のエリアの一部分だが、境界１１２により近いであろう。
【００３０】
別の実施例は、受信信号の信号対雑音比に対応する、放送エリア内の範囲を規定することを含む。別の実施例は、異なる信号品質レベル標識を使用することを含む。信号品質特性を使用することは、送信機の全体の放送エリアが考慮される必要がないので、デバイス２０が置かれることがあり得るエリアを低減することを可能にする。可能な位置エリアを低減することは、デバイス２０の位置をもっと正確に決定することを可能にする。
【００３１】
図２〜５の技術のために使用される送信機の数は、対応する送信機が位置推定に含まれるであろうかどうかを決定するために、検出信号の適切な特性にしきい値を設定することによって制限されてもよい。一実施例は、受信信号強度のためにしきい値を設定することを含むが、別の実施例は、信号対雑音比のためにしきい値を設定することを含む。さらに別の実施例は、どの検出信号が位置決定のために使用されるであろうかを決定するために、決定された受信パワーおよび対応するしきい値を使用することを含む。
【００３２】
データベース２８内の情報は、ＳＤＲＡＭメモリ・カードなどのメモリ・デバイスに保存されてもよい。データベースのための情報は、必要に応じてインターネットから情報をダウンロードすることによって得られてもよい。一実施例では、ＧＰＲＳ接続は、そのような情報を得るために使用される。データベース２８は、特定の状況に応じて、必要に応じてしばしば保存され、更新されてもよい。例えば、彼らが特定の位置へ移動しているであろうことを個人が知っているときには、彼らは、その地域を訪問しながら位置決定を行うために、その地域内の送信機に関する情報をダウンロードしてもよい。ある実施例では、デバイス２０は、必要に応じた方式でそのような情報をダウンロードする能力を有するであろう。加えて、現地のデータベース情報は、そのような情報の現地小売業者から得られてもよい。特定の送信機を識別するための情報は、ラジオ・データ・システム技術が送信機によって利用されるところでは検出信号から得られてもよい。例えば、プログラム識別機能は、送信機を識別するために使用することができ、ラジオ・テキスト機能は、送信機位置および住所情報を与えてもよく、透過的なデータ・チャネル機能は、受信機へのデータ・チャネルとして使用することができる。ある場合には、１つの送信機は、その地域内の他の送信機に関する情報を含むであろう。別の実施例は、そのエリア内の送信機の識別および位置に関する情報を提供するために、１つまたは複数の放送局を専用にすることを含む。
【００３３】
一実施例では、送信機識別は、搬送周波数から決定される。スペクトルは、送信機が動作中の周波数のリストを見いだすためにスキャンされる。データベース検索は対応する識別をもたらす。この技術は、十分な数の局または送信機が利用できるときに有用である。例えば、検索のために使用される単一搬送周波数は、ある送信機だけがその搬送周波数で送信することを許されるので、可能な送信機の数を制限する。同時に複数搬送周波数を考慮することは、送信機を一意的に識別するまたは指紋を採ることを可能にする。ある場合には、搬送周波数のリストは、すべての検出信号を提供するすべての送信機のすべての識別を一意的に解決するために十分であろう。もし使用される搬送周波数の数が低減されると、一意的な識別を得ることはできない可能性がある。送信機の識別を決定することに対するこの手法は、Ｎ方程式およびＭ未知変数を持つ問題を解くことに類似している。
【００３４】
搬送周波数に基づくだけでは、一意的な識別を規定することができない状況では、１つまたは複数の送信機の識別は、検出信号の少なくとも１つからのラジオ・データ・システム情報から得られてもよい。十分なそのような情報が利用できるところでは、ほとんどの識別問題を解決することができるであろう。
【００３５】
別の実施例の手法は、図２および４（または図３および５）の実施形態の選択された特徴を組み合わせる。この実施例では、決定される位置は、デバイス２０と送信機との間の少なくとも１つの決定された距離範囲および少なくとも１つの他の送信機の決定された放送エリアに基づいている。複数の決定された距離範囲（例えば、５４および６４）および複数の決定された放送エリア（例えば、９２、９６、１００および１０４）を使用することは、対応する可能な位置が重なり合うエリアを決定することを可能にする。一実施例では、複数の送信機からの距離範囲は、最初に決定される。次いで、同じ複数の送信機または他の送信機の放送範囲の重なりのエリアを決定することは、デバイス２０の可能な位置を絞り込むために使用される。別の実施例では、放送範囲の重なりのエリアは、最初に決定され、後にもっと正確な距離決定をもたらすためにいくつかの距離範囲を決定することが続く。
【００３６】
開示される実施例の１つの特徴は、デバイス２０が、位置決定を行うために完全に匿名的に動作することができることである。ある状況では、位置決定を行うための情報は、デバイスから匿名性を除去する方法で得られなければならないことが必要かもしれない。しかしながら、ほとんどの状況に対しては、完全な匿名性が、デバイス２０の使用者に利用できる。
【００３７】
先の説明は、本来は限定するよりもむしろ例となるものである。本発明の本質から必ずしも逸脱しない、開示される実施例に対する変形形態および変更形態は、当業者には明らかになるかもしれない。本発明に与えられる法的保護の範囲は、次の特許請求の範囲を調べることによって決定することができるだけである。
【図１】
2010527025.tif 000003
【図２】
2010527025.tif 000004
【図３】
2010527025.tif 000005
【図４】
2010527025.tif 000006
【図５】
2010527025.tif 000007
【図６】
2010527025.tif 000008
【国際調査報告】
2010527025.tif 000009
2010527025.tif 000010
2010527025.tif 000011
2010527025.tif 000012
2010527025.tif 000013